(57)【要約】【課題】  操作者の直感的な動作により電子カメラの光学系を選択的に制御することを目的とする。【解決手段】  第１光学系と、前記第１光学系を通過した被写体の像を撮像して第１画像のデータを生成する第１撮像部と、前記第１光学系を駆動する第１駆動部と、第２光学系と、前記第２光学系を通過した操作者の指の像を撮像して第２画像のデータを生成する第２撮像部と、前記第２撮像部により生成した前記第２画像のデータから前記操作者の指情報を検出する検出部と、前記検出部により検出した前記指情報に基づいて、前記第１光学系に対する駆動制御を決定する決定部と、前記決定部により決定した前記駆動制御に基づいて、前記第１駆動部を制御する制御部とを備える電子カメラ。【選択図】      図１
2010034633.tif 000002
【特許請求の範囲】
【請求項１】
第１光学系と、
前記第１光学系を通過した被写体の像を撮像して第１画像のデータを生成する第１撮像部と、
前記第１光学系を駆動する第１駆動部と、
第２光学系と、
前記第２光学系を通過した操作者の指の像を撮像して第２画像のデータを生成する第２撮像部と、
前記第２撮像部により生成した前記第２画像のデータから前記操作者の指情報を検出する検出部と、
前記検出部により検出した前記指情報に基づいて、前記第１光学系に対する駆動制御を決定する決定部と、
前記決定部により決定した前記駆動制御に基づいて、前記第１駆動部を制御する制御部と
を備えることを特徴とする電子カメラ。
【請求項２】
請求項１に記載の電子カメラにおいて、
前記第１画像と前記第２画像とを重ねて表示する表示部をさらに備え、
前記検出部は、前記第２画像における前記指の位置を検出し、
前記制御部は、前記検出部により検出した前記指の位置に応じて、前記指の位置に対応する前記第１画像の一部領域を特定する
ことを特徴とする電子カメラ。
【請求項３】
請求項１に記載の電子カメラにおいて、
前記第１光学系は、フォーカスレンズとズームレンズとを有し、
前記第１駆動部は、前記フォーカスレンズを光軸方向に移動するフォーカス駆動部と前記ズームレンズを光軸方向に移動するズーム駆動部とを有し、
前記検出部は、前記第２画像における前記指の向きと前記指の大きさとを検出し、
前記決定部は、前記検出部により前後して検出した前記指の大きさを比較することにより、前記指の大きさの相対変化を算出するとともに、前記指の向きと前記相対変化とに基づいて、前記フォーカスレンズおよび前記ズームレンズの少なくとも一方の移動方向を決定し、
前記制御部は、前記決定部により決定した前記移動方向に基づいて、前記フォーカス駆動部および前記ズーム駆動部の少なくとも一方を制御する
ことを特徴とする電子カメラ。
【請求項４】
光学系と、
前記光学系を通過した被写体の像を撮像して画像のデータを生成する撮像部と、
前記光学系を駆動する駆動部と、
前記撮像部により生成した前記画像のデータから前記被写体の指情報を検出する検出部と、
前記検出部により検出した前記指情報に基づいて、前記光学系に対する駆動制御を決定する決定部と、
前記決定部により決定した前記駆動制御に基づいて、前記駆動部を制御する制御部と
を備えることを特徴とする電子カメラ。
【発明の詳細な説明】
【技術分野】
【０００１】
本発明は、被写体を撮像して画像のデータを生成する電子カメラに関する。
【背景技術】
【０００２】
従来から利用者の所作（ジェスチャー）を認識し、所定のジェスチャーが行われた場合に、所定の動作を行う機器が知られている。このような機器は、単にジェスチャーによる制御だけでなく、機器の特性や制御内容がある方向に依存したものであるとき、ジェスチャーの方向と同じ方向にその制御を行うといったように、きわめて直感的な操作が可能になる。例えば、特許文献１には、ハンドジェスチャーに対応するハンドポーズサインにより、システムを介する通信またはシステムとの対話を行う装置が開示されている。
【特許文献１】特開平４−２６０９１９号公報
【発明の開示】
【発明が解決しようとする課題】
【０００３】
ところで、電子カメラには多くの場合、焦点の制御機構や可変焦点距離の制御機構など、２つの光軸方向の制御機構が組み込まれる。しかし、上述した装置は、ハンドジェスチャーの方向にのみ依存する。そのため、上記の電子カメラのように光軸方向の制御が２つ以上存在する場合には、いずれか１つの制御に限定する必要があり、いずれも制御したい場合には、いずれかを指定するための別個の切替手段などを備えなければならず、操作も煩雑になる。
【０００４】
そこで、本発明は、操作者の直感的な動作により電子カメラの光学系を選択的に制御することを目的とする。
【課題を解決するための手段】
【０００５】
第１の発明の電子カメラは、第１光学系と、前記第１光学系を通過した被写体の像を撮像して第１画像のデータを生成する第１撮像部と、前記第１光学系を駆動する第１駆動部と、第２光学系と、前記第２光学系を通過した操作者の指の像を撮像して第２画像のデータを生成する第２撮像部と、前記第２撮像部により生成した前記第２画像のデータから前記操作者の指情報を検出する検出部と、前記検出部により検出した前記指情報に基づいて、前記第１光学系に対する駆動制御を決定する決定部と、前記決定部により決定した前記駆動制御に基づいて、前記第１駆動部を制御する制御部とを備える。
【０００６】
なお、好ましくは、前記第１画像と前記第２画像とを重ねて表示する表示部をさらに備え、前記検出部は、前記第２画像における前記指の位置を検出し、前記制御部は、前記検出部により検出した前記指の位置に応じて、前記指の位置に対応する前記第１画像の一部領域を特定しても良い。
【０００７】
また、好ましくは、前記第１光学系は、フォーカスレンズとズームレンズとを有し、前記第１駆動部は、前記フォーカスレンズを光軸方向に移動するフォーカス駆動部と前記ズームレンズを光軸方向に移動するズーム駆動部とを有し、前記検出部は、前記第２画像における前記指の向きと前記指の大きさとを検出し、前記決定部は、前記検出部により前後して検出した前記指の大きさを比較することにより、前記指の大きさの相対変化を算出するとともに、前記指の向きと前記相対変化とに基づいて、前記フォーカスレンズおよび前記ズームレンズの少なくとも一方の移動方向を決定し、前記制御部は、前記決定部により決定した前記移動方向に基づいて、前記フォーカス駆動部および前記ズーム駆動部の少なくとも一方を制御しても良い。
【０００８】
第２の発明の電子カメラは、光学系と、前記光学系を通過した被写体の像を撮像して画像のデータを生成する撮像部と、前記光学系を駆動する駆動部と、前記撮像部により生成した前記画像のデータから前記被写体の指情報を検出する検出部と、前記検出部により検出した前記指情報に基づいて、前記光学系に対する駆動制御を決定する決定部と、前記決定部により決定した前記駆動制御に基づいて、前記駆動部を制御する制御部とを備える。
【発明の効果】
【０００９】
本発明によれば、操作者の直感的な動作により電子カメラの光学系を選択的に制御することができる。
【発明を実施するための最良の形態】
【００１０】
以下、図面を用いて本発明の実施形態について説明する。図１は、本発明の電子カメラ１の外観を背面側から示す図である。図１に示すように、電子カメラ１の筐体３０の背面部３１には、第２光学系９、モニタ１６、操作部１７、ランプ２１が配置される。なお、図１には示されないが筐体３０の前面部には、第１光学系２が配置される。また、筐体３０の天面には、レリーズ釦１８が配置される。なお、電子カメラ１は、第１光学系２を介して被写体の像を撮像し、第２光学系９を介して主に操作者の指の像を撮像する。
【００１１】
図２は、本発明の実施形態における電子カメラ１の構成を示すブロック図である。図２に示すように、電子カメラ１は、第１光学系２、ズーム駆動部５、フォーカス駆動部６、撮像素子７、Ａ／Ｄ変換部８、第２光学系９、撮像素子１１、Ａ／Ｄ変換部１２、ＣＰＵ１３、バッファメモリ１４、フラッシュＲＡＭ１５、モニタ１６、操作部１７、レリーズ釦１８、記録Ｉ／Ｆ部１９、記録媒体２０、ランプ２１、バス２２を備える。
【００１２】
第１光学系２は、ズームレンズ３、フォーカスレンズ４、不図示の絞りなどを有する。ズーム駆動部５は、ＣＰＵ１３の制御により、ズームレンズ３を光軸方向に移動して、焦点距離を調節する。焦点距離は、撮像する被写体の範囲いわゆる画角を決定するものである。なお、第１光学系２の画角は、多段階に調整可能であるとする。フォーカス駆動部６は、ＣＰＵ１３の制御により、フォーカスレンズ４を移動して、光軸方向の特定の位置に焦点を合わせる。
【００１３】
撮像素子７は、ズームレンズ３およびフォーカスレンズ４を通過した光束による被写体の像を光電変換し、アナログの画像信号を出力する。撮像モードにおいて、撮像素子７は、レリーズ釦１８が全押しされると記録用画像（本画像）を撮像する。また、撮像素子７は、撮像待機時に所定間隔ごとに間引き読み出しで第１のスルー画像を撮像する。撮像素子７の出力は、Ａ／Ｄ変換部８に接続される。Ａ／Ｄ変換部８は、撮像素子７の出力信号のＡ／Ｄ変換を行う。
【００１４】
第２光学系９は、撮像レンズ１０、不図示の絞りなどを有する。ところで、操作者が電子カメラ１を構えたとき、第２光学系９と操作者との距離はほぼ決まった値となる。そのため、撮像レンズ１０の焦点距離は固定される。また、撮像レンズ１０の焦点位置は、パンフォーカス位置に固定されても良い。撮像素子１１は、撮像レンズ１０を通過した光束による操作者の指の像を光電変換し、アナログの画像信号を出力する。撮像モードにおいて、撮像素子１１は、撮像待機時に所定間隔ごとに間引き読み出しで第２のスルー画像を撮像する。撮像素子１１の出力は、Ａ／Ｄ変換部１２に接続される。Ａ／Ｄ変換部１２は、撮像素子１１の出力信号のＡ／Ｄ変換を行う。
【００１５】
ＣＰＵ１３は、所定のシーケンスプログラムにしたがって、電子カメラ１の統括的な制御を行うプロセッサである。また、ＣＰＵ１３は、Ａ／Ｄ変換部８、Ａ／Ｄ変換部１２から出力されたデータに各種の画像処理（ホワイトバランス調整、色補間、階調変換処理、輪郭強調処理など）を施す。また、ＣＰＵ１３は、記録媒体２０に画像のデータを記録する前にＪＰＥＧ形式などで圧縮する処理や、圧縮された上記のデータを伸長復元する処理をも実行する。さらに、ＣＰＵ１３は、不図示の時間測定用のタイマを制御する。また、ＣＰＵ１３は、第２のスルー画像から操作者の指を認識し、指の位置、指の向き、指の大きさを含む指情報を検出する。なお、指の向きとは、指の爪側が第２光学系９に向いているか、または、指の腹側が第２光学系９に向いているかである。指情報の検出の詳細については、後述する。
【００１６】
バッファメモリ１４は、ＣＰＵ１３による画像処理の前工程や後工程で画像のデータを一時的に格納する。フラッシュＲＡＭ１５は、バッファメモリ１４に一時的に格納した画像のデータを記憶する。モニタ１６は、ＣＰＵ１３の制御により各種の画像を表示する。モニタ１６に表示される各種の画像は、本画像、第１のスルー画像、第２のスルー画像、記録媒体２０に記録した画像、メニュー画面などを含む。
【００１７】
操作部１７は、ＯＫ釦１７ａ、操作釦などを有する。操作釦は、上記のメニュー画面等での操作入力を操作者から受け付ける。レリーズ釦１８は、レリーズ指示の入力を操作者から受け付ける。なお、操作部１７、レリーズ釦１８の状態はＣＰＵ１３により検知される。記録Ｉ／Ｆ部１９は、記録媒体２０を接続するためのコネクタが形成される。そして、記録Ｉ／Ｆ部１９は、コネクタに接続された記録媒体２０に対してデータの書き込み／読み出しを実行する。ランプ２１は、ＬＥＤなどにより構成され、ＣＰＵ１３の出力に基づいて点滅または点灯する。
【００１８】
なお、Ａ／Ｄ変換部８、Ａ／Ｄ変換部１２の出力はバス２２を介してＣＰＵ１３に接続される。また、ＣＰＵ１３、記録Ｉ／Ｆ部１９の出力はそれぞれバス２２を介してモニタ１６に接続される。
【００１９】
ここで、第１光学系２の光軸方向について説明する。例えば、風景を背にして人物が立つ場面を撮像する場合、光軸方向に対して、人物は手前に、風景は奥となる。そのため、ジェスチャーで手前あるいは奥の動きを行うことで、その同じ方向に焦点が調節されるのであれば、直感的な動作になり、操作者の理解が容易になる。
【００２０】
また、上記の例において、画角は、風景および人物を広い範囲まで撮像するか狭い範囲のみを撮像するかに相当し、操作者の直感的には光軸上を被写体に近づくかまたは遠ざかることに相当する。この場合、上記と同様に、ジェスチャーで手前あるいは奥の動きを行うことで、その同じ方向に画角が調整されるのであれば、直感的な動作になり、操作者の理解が容易になる。
【００２１】
そこで、ＣＰＵ１３は、指情報に基づいて、指の向きが爪側の場合の場合には、フォーカス駆動部６を制御して、焦点を調節する。一方、ＣＰＵ１３は、指の向きが腹側の場合には、ズーム駆動部５を制御して、画角を調整する。また、ＣＰＵ１３は、指の大きさの相対変化により、指が第２光学系９に近づいたか、または、指が第２光学系９から遠ざかったかを判定する。例えば、ＣＰＵ１３は、指の大きさが大に変化した場合には、指が第２光学系９に近づいたと判定する。一方、ＣＰＵ１３は、指の大きさが小に変化した場合には、指が第２光学系９から遠ざかったと判定する。
【００２２】
そして、ＣＰＵ１３は、指の向きが爪側の場合に、指が第２光学系９から遠ざかると、フォーカス駆動部６を制御して、操作者に近づくよう、すなわち近距離方向にフォーカスレンズ４を移動する。一方、ＣＰＵ１３は、指の向きが爪側の場合に、指が第２光学系９に近づくと、フォーカス駆動部６を制御して、操作者から遠ざかるよう、すなわち遠距離方向にフォーカスレンズ４を移動する。
【００２３】
また、ＣＰＵ１３は、指の向きが腹側の場合に、指が第２光学系９から遠ざかると、ズーム駆動部５を制御して、被写体から遠ざかるよう、すなわち広角方向にズームレンズ３を移動する。一方、ＣＰＵ１３は、指の向きが腹側の場合に、指が第２光学系９に近づくと、ズーム駆動部５を制御して、被写体に近づくよう、すなわち望遠方向にズームレンズ３を移動する。
【００２４】
これにより、ＣＰＵ１３は、指の向きを区別するとともに、指の大きさの相対変化に基づいて、指の動きの方向と同じ方向に第１光学系２の光軸方向移動を制御することができる。
【００２５】
図３は、電子カメラ１における撮像時のＣＰＵ１３の動作を示すフローチャートである。
【００２６】
ステップＳ１で、ＣＰＵ１３は、撮像モードを開始する。例えば、ＣＰＵ１３は、撮像素子７を制御して、第１のスルー画像の撮像を開始するとともに、撮像素子１１を制御して、第２のスルー画像の撮像を開始する。そして、ＣＰＵ１３は、モニタ１６に第１のスルー画像と第２のスルー画像とを重ねて表示する。例えば、ＣＰＵ１３は、半透過の第１のスルー画像と半透過の第２のスルー画像とを重ねて表示する。また、ＣＰＵ１３は、モニタ１６に「背面のレンズに左手の指を向け、被写体を指さして下さい。」等のメッセージを表示する。
【００２７】
ステップＳ２で、ＣＰＵ１３は、不図示のメモリから指のテンプレートを読み出して、第２のスルー画像のデータと比較することにより、指の認識を開始する。なお、テンプレートには、指の爪側および腹側の代表的な形状が記憶されている。
【００２８】
ステップＳ３で、ＣＰＵ１３は、ステップＳ２で比較した結果に基づいて、第２のスルー画像から指を認識したか否かを判定する。例えば、指を認識した場合（ＹＥＳ）には、ステップＳ４に移行する。一方、指を認識しない場合（ＮＯ）には、ステップＳ２に戻る。なお、ＣＰＵ１３は、ステップＳ２に戻った場合に、モニタ１６に「指が写っていません。」等のメッセージを表示しても良いし、ランプ２１を点滅させても良い。また、電子音発生部を備え、電子音により操作者に知らせても良い。これにより、操作者は、第２光学系９を介して指が撮像されているか否かを確認することができる。
【００２９】
ステップＳ４で、ＣＰＵ１３は、ステップＳ２で認識した指の位置を検出する。
【００３０】
ステップＳ５で、ＣＰＵ１３は、ステップＳ４で検出した指の位置に対応する第１のスルー画像の一部領域を選択して、選択した領域を枠で囲む、ランプ２１を点灯するなど、一部領域が選択されている旨を操作者に通知するとともに、モニタ１６に「被写体を特定する場合には、ＯＫ釦を押して下さい。」等のメッセージを表示する。その後、ＣＰＵ１３は、各部を制御して、指の位置に対応する第１のスルー画像の一部領域に適した露出制御、フォーカスレンズ４の位置の調節などを行う。
【００３１】
ステップＳ６で、ＣＰＵ１３は、ステップＳ５で選択した第１のスルー画像の一部領域に対して、第１光学系２の光軸方向移動を制御する。ステップＳ６の詳細については、後述する。
【００３２】
ステップＳ７で、ＣＰＵ１３は、ステップＳ５で選択した第１のスルー画像の一部領域をリセットするか否かを操作部１７を介して操作者から受け付ける。例えば、ＣＰＵ１３は、モニタ１６に「被写体をリセットしますか？」等のメッセージを表示する。リセットする場合（ＹＥＳ）には、ステップＳ２に戻り、再び指の認識を開始する。一方、リセットしない場合（ＮＯ）には、ステップＳ８に移行する。
【００３３】
ステップＳ８で、ＣＰＵ１３は、レリーズ釦１８が全押しされたか否かを判定する。レリーズ釦１８が全押しされた場合（ＹＥＳ）には、ステップＳ９に移行する。一方、レリーズ釦１８が全押しされない場合（ＮＯ）には、ステップＳ６に戻り、再び第１光学系２の光軸方向移動を制御する。
【００３４】
ステップＳ９で、ＣＰＵ１３は、撮像素子７を制御して、本画像を撮像する。
【００３５】
ステップＳ１０で、ＣＰＵ１３は、ステップＳ９で撮像した本画像のデータに対して画像処理を施するとともに、画像処理後の本画像のデータを記録媒体２０に記録し、一連の処理を終了する。
【００３６】
次に、図３のフローチャートのステップＳ６における第１光学系２の光軸方向移動の制御について説明する。図４は、第１光学系２の光軸方向移動を制御する場合のＣＰＵ１３の動作を示すフローチャートである。
【００３７】
ステップＳ２１で、ＣＰＵ１３は、モニタ１６に「ピントを調節する場合には指の爪側、撮影範囲を変更する場合には指の腹側を背面のレンズに向け、指を前後に動かして下さい。」等のメッセージを表示する。そして、ＣＰＵ１３は、ステップＳ２で上述した不図示のメモリから指のテンプレートを読み出して、第２のスルー画像のデータと比較することにより、指の向きが爪側か否かを判定する。例えば、指の爪側のテンプレートは爪の情報を有し、指の腹側のテンプレートは指紋の情報を有しても良い。指の向きが爪側である場合（ＹＥＳ）には、ステップＳ２２に移行する。一方、指の向きが爪側でない場合（ＮＯ）には、後述するステップＳ２８に移行する。
【００３８】
ステップＳ２２で、ＣＰＵ１３は、不図示の時間測定用のタイマを開始するとともに、指の大きさを測定する。なお、ＣＰＵ１３は、ステップＳ２２以降の処理において、第１のスルー画像に第２のスルー画像をピクチャーインピクチャーして合成した画像をモニタ１６に表示しても良い。合成した画像の例を図５に示す。
【００３９】
ステップＳ２３で、ＣＰＵ１３は、タイマを参照して、所定時間が非経過であるか否かを判定する。所定時間が非経過である場合（ＹＥＳ）には、ステップＳ２４に移行する。一方、所定時間が経過した場合（ＮＯ）には、図４の処理を終了する。
【００４０】
ステップＳ２４で、ＣＰＵ１３は、指の大きさが大に変化したか否かを判定する。例えば、ＣＰＵ１３は、指の大きさを測定し、ステップＳ２２で測定した指の大きさと比較する。指の大きさが大に変化した場合（ＹＥＳ）には、ステップＳ２５に移行する。一方、指の大きさが大に変化していない場合（ＮＯ）には、ステップＳ２６に移行する。
【００４１】
ステップＳ２５で、ＣＰＵ１３は、フォーカス駆動部６を制御して、フォーカスレンズ４を遠距離方向に移動する。その後、ステップＳ２２に戻り、タイマをリセットする。
【００４２】
ステップＳ２４で指の大きさが大に変化していない場合（ＮＯ）には、ステップＳ２６で、ＣＰＵ１３は、指の大きさが小に変化したか否かを判定する。例えば、ＣＰＵ１３は、指の大きさを測定し、ステップＳ２２で測定した指の大きさと比較する。指の大きさが小に変化した場合（ＹＥＳ）には、ステップＳ２７に移行する。一方、指の大きさが小に変化していない場合（ＮＯ）には、ステップＳ２３に戻り、所定時間が非経過であるか否かを判定する。
【００４３】
ステップＳ２７で、ＣＰＵ１３は、フォーカス駆動部６を制御して、フォーカスレンズ４を近距離方向に移動する。その後、ステップＳ２２に戻り、タイマをリセットする。
【００４４】
ステップＳ２１で指の向きが爪側でない場合（ＮＯ）には、ステップＳ２８で、ＣＰＵ１３は、ステップＳ２１と同様に、不図示のメモリから指のテンプレートを読み出して、第２のスルー画像のデータと比較することにより、指の向きが腹側か否かを判定する。指の向きが腹側である場合（ＹＥＳ）には、ステップＳ２９に移行する。一方、指の向きが腹側でない場合（ＮＯ）には、ステップＳ２１に戻り、指の向きが爪側か否かを判定する。
【００４５】
ステップＳ２９で、ＣＰＵ１３は、タイマを開始するとともに、指の大きさを測定する。
【００４６】
ステップＳ３０で、ＣＰＵ１３は、タイマを参照して、所定時間が非経過であるか否かを判定する。所定時間が非経過である場合（ＹＥＳ）には、ステップＳ３１に移行する。一方、所定時間が経過した場合（ＮＯ）には、図４の処理を終了する。
【００４７】
ステップＳ３１で、ＣＰＵ１３は、指の大きさが大に変化したか否かを判定する。指の大きさが大に変化した場合（ＹＥＳ）には、ステップＳ３２に移行する。一方、指の大きさが大に変化していない場合（ＮＯ）には、ステップＳ３３に移行する。
【００４８】
ステップＳ３２で、ＣＰＵ１３は、ズーム駆動部５を制御して、ズームレンズ３を望遠方向に移動する。その後、ステップＳ２９に戻り、タイマをリセットする。
【００４９】
ステップＳ３１で指の大きさが大に変化していない場合（ＮＯ）には、ステップＳ３３で、ＣＰＵ１３は、指の大きさが小に変化したか否かを判定する。指の大きさが小に変化した場合（ＹＥＳ）には、ステップＳ３４に移行する。一方、指の大きさが小に変化していない場合（ＮＯ）には、ステップＳ３０に戻り、所定時間が非経過であるか否かを判定する。
【００５０】
ステップＳ３４で、ＣＰＵ１３は、ズーム駆動部５を制御して、ズームレンズ３を広角方向に移動する。その後、ステップＳ２９に戻り、タイマをリセットする。
【００５１】
なお、上記の実施形態では、第１光学系２の光軸方向移動を制御する例を示したが、その他の第１光学系２の制御に適用しても良い。例えば、指の向きに応じて、第１光学系２の絞り開口を制御する構成にしても良い。例えば、ＣＰＵ１３は、指が右側に倒れたか左側に倒れたかを判定する。そして、ＣＰＵ１３は、指が右側に倒れたと判定した場合には、絞り開口を開く。一方、ＣＰＵ１３は、指が左側に倒れたと判定した場合には、絞り開口を閉じても良い。また、指の向きに応じて、第１光学系２にあおりを付ける構成にしても良い。例えば、ＣＰＵ１３は、指が上向きに動いたか下向きに動いたかを判定する。そして、ＣＰＵ１３は、指が上向きに動いたと判定した場合には、第１光学系２を上に向ける。一方、ＣＰＵ１３は、指が下向きに動いたと判定した場合には、第１光学系２を下に向けても良い。
【００５２】
また、対面撮影やセルフ撮影、フリーアングルモニタを備える場合を想定して、第１のスルー画像のデータから指情報を検出し、上記の実施形態と同様の処理を行っても良い。
【００５３】
以上説明したように、本実施形態の電子カメラ１は、第２光学系９を介して撮像した第２のスルー画像から操作者の指を認識し、指情報を検出する。そして、電子カメラ１は、指情報に基づいて、第１光学系２の光軸方向移動を制御する。したがって、本実施形態の電子カメラ１によれば、操作者の直感的な動作により電子カメラ１の第１光学系２を選択的に制御することができる。
【００５４】
（実施形態の補足）
なお、上記の実施形態では、ステップＳ２、ステップＳ２１、ステップＳ２８において、予めメモリに記憶した指のテンプレートを用いて操作者の指を認識したが、これに限らない。例えば、操作者の指を予め撮像し、メモリに登録する構成にしても良い。また、この場合、例えば、手袋をはめた状態の手を登録しても良いし、げんこつにした手を登録しても良い。これにより、素手で電子カメラを持てない場合や、指が不自由な場合などにも対応できる。
【００５５】
また、上記の実施形態では、ステップＳ２１の処理以降において、指の向きが爪側の場合にフォーカス駆動部６を制御し、指の向きが腹側の場合にズーム駆動部５を制御する例を示したが、これに限らない。例えば、指の向きが爪側の場合にズーム駆動部５を制御し、指の向きが腹側の場合にフォーカス駆動部６を制御する構成にしても良い。
【００５６】
また、上記の実施形態では、ステップＳ２１の処理以降において、ズーム駆動部５を制御する処理とフォーカス駆動部６を制御する処理とを分ける例を示したが、これに限らない。例えば、ＣＰＵ１３は、ステップＳ２１の判定結果を記憶し、ステップＳ２２の処理以降で指の大きさに変化があった場合に、ズーム駆動部５またはフォーカス駆動部６を制御する構成にしても良い。
【００５７】
また、指の動きの速度に応じて、ズーム駆動部５、フォーカス駆動部６の駆動速度を変更する構成にしても良い。例えば、ＣＰＵ１３は、指が一気に手前に動かされたことを検出した場合には、ズーム駆動部５を制御して、ズームレンズ３を最も広角側に移動する。このように、タイマの測定時間および指の大きさの変化に基づいて、変化が大きい場合には、粗調整を行い、変化が小さい場合には、微調整を行う構成にしても良い。
【００５８】
また、第１のスルー画像を立体表示が可能なディスプレイに表示しても良い。この場合、第１のスルー画像における被写体の奥行き方向の情報と、第２のスルー画像における指の位置の情報とを対応付けて、第１光学系２の光軸方向移動を制御しても良い。これにより、例えば、図３のステップＳ１からＳ５において、平面の第１のスルー画像では重なって見えない部分を特定できるため、直感的によりわかりやすく、第１光学系２の光軸方向移動を制御することができる。
【図面の簡単な説明】
【００５９】
【図１】本発明の電子カメラ１の外観を背面側から示す図である。
【図２】本発明の実施形態における電子カメラ１の構成を示すブロック図である。
【図３】電子カメラ１における撮像時のＣＰＵ１３の動作を示すフローチャートである。
【図４】第１光学系２の光軸方向移動を制御する場合のＣＰＵ１３の動作を示すフローチャートである。
【図５】合成した画像の例を示す図である。
【符号の説明】
【００６０】
１…電子カメラ、２…第１光学系、３…ズームレンズ、４…フォーカスレンズ、５…ズーム駆動部、６…フォーカス駆動部、７…撮像素子、８…Ａ／Ｄ変換部、９…第２光学系、１１…撮像素子、１２…Ａ／Ｄ変換部、１３…ＣＰＵ、１６…モニタ                  
【図１】
2010034633.tif 000003
【図２】
2010034633.tif 000004
【図３】
2010034633.tif 000005
【図４】
2010034633.tif 000006
【図５】
2010034633.tif 000007